(57)【要約】  ロング拡散コードで拡散されるシンボルの位相ノイズを補償する方法及び装置を開示する。位相ノイズを補償するために、ショート拡散コードで逆拡散されるシンボルから位相エラー評価値を生成する。ロング拡散コードでチップレートデータを逆拡散する前に、位相訂正フェーザがそのデータに適用される。ＣＰＩＣＨ（common pilot channel）におけるＳＩＲ（signal-to-interference ratio）は、そのデータをＯＶＳＦ（orthogonal variable spreading factor）符号ツリーにおける親拡散コードで拡散すること、及びシンボルを結合すること、によって算出することができる。あるいは、シンボルの重みがＳＩＲを評価する際に使用されてもよい。ショート拡散コードを使用するチャネルのＳＩＲ及びロング拡散コードを使用するチャネルのＳＩＲが測定される。ロング拡散コードを伴うチャネルのＳＩＲは、ＳＩＲの劣化の違いに従って補償されることができる。
2008533911.tif 000002
【特許請求の範囲】
【請求項１】
第１チャネルはショート拡散コードで拡散されるデータを含み、第２チャネルはロング拡散コードで拡散されるデータを含む、少なくとも二つのチャネルが同時に送信されるＣＤＭＡ（code division multiple access）無線通信システムにおいて、前記ロング拡散コードで拡散されるデータの位相ノイズを補償する方法であって、
受信信号のサンプリングによってチップレートデータを生成するステップと、
バッファに前記チップレートデータを格納するステップと、
前記チップレートデータを前記ショート拡散コードで逆拡散するステップと、
前記ショート拡散コードでチップレートデータを逆拡散することによって取得されるシンボルから位相エラー評価値を生成するステップと、
前記位相エラー評価値から位相訂正フェーザを生成するステップと、
前記ロング拡散コードで前記チップレートデータを逆拡散する前に、前記位相訂正フェーザを前記バッファに格納される前記チップレートデータに適用するステップと、
を備えることを特徴とする方法。
【請求項２】
前記第１チャネルはＨＳ−ＰＤＳＣＨ（high speed physical downlink shared channel）であり、前記第２チャネルはＣＰＩＣＨ（common pilot channel）であることを特徴とする請求項１に記載の方法。
【請求項３】
逆拡散されるＣＰＩＣＨシンボルからＳＩＲ（signal-to-interference ratio）が評価されることを特徴とする請求項２に記載の方法。
【請求項４】
第１チャネルはショート拡散コードで拡散されるデータを含み、第２チャネルはロング拡散コードで拡散されるデータを含む、少なくとも二つのチャネルが同時に送信されるＣＤＭＡ（code division multiple access）無線通信システムにおいて、前記ロング拡散コードで拡散されるデータの位相ノイズを補償する装置であって、
受信信号のサンプリングによって生成されるチップレートデータを格納するバッファと、
前記チップレートデータを前記ショート拡散コードで逆拡散する第１の逆拡散器と、
前記ショート拡散コードでチップレートデータを逆拡散することによって取得されるシンボルから位相エラー評価値を生成するコンステレーション訂正ユニットと、
前記位相エラー評価値から位相訂正フェーザを生成するフェーザ生成器と、
前記位相訂正フェーザを前記バッファに格納される前記チップレートデータに適用する乗算器と、
前記ロング拡散コードで前記チップレートデータを逆拡散する第２の逆拡散器と、
を備えることを特徴とする装置。
【請求項５】
前記第１チャネルはＨＳ−ＰＤＳＣＨ（high speed physical downlink shared channel）であり、前記第２チャネルはＣＰＩＣＨ（common pilot channel）であることを特徴とする請求項４に記載の装置。
【請求項６】
逆拡散されるＣＰＩＣＨシンボルからＳＩＲ（signal-to-interference ratio）を評価するＳＩＲ評価器を、さらに備えることを特徴とする請求項５に記載の装置。
【請求項７】
前記ＣＰＩＣＨにおける前記ＳＩＲからＣＱＩ（channel quality indicator）を生成するＣＱＩマッピングユニットを、さらに備えることを特徴とする請求項６に記載の装置。
【請求項８】
ＣＤＭＡ（code division multiple access）無線通信システムにおいて、ＣＰＩＣＨ（common pilot channel）におけるＳＩＲ（signal-to-interference ratio）を評価する際の位相ノイズを補償する方法であって、
受信信号からチップレートデータを生成するステップと、
前記チップレートデータを、ＯＶＳＦ（orthogonal variable spreading factor）符号ツリーにおいてＣＰＩＣＨの拡散コードの親コードである拡散コードで逆拡散して、複合的な中間シンボルを生成するステップと、
前記中間シンボル結合して、ＣＰＩＣＨシンボルを生成するステップと、
前記ＣＰＩＣＨシンボルでＳＩＲを評価するステップと、
を備えることを特徴とする方法。
【請求項９】
前記中間シンボルの結合をＣＰＩＣＨシンボル境界に合わせるためのタイミング信号を提供することを特徴とする請求項８に記載の方法。
【請求項１０】
ＣＤＭＡ（code division multiple access）無線通信システムにおいて、ＣＰＩＣＨ（common pilot channel）におけるＳＩＲ（signal-to-interference ratio）の評価値における位相ノイズを補償する方法であって、
受信信号からチップレートデータを生成するステップと、
前記チップレートデータをＣＰＩＣＨの拡散コードで逆拡散して、ＣＰＩＣＨシンボルを生成するステップと、
前記ＣＰＩＣＨシンボルの重みを算出するステップと、
前記ＣＰＩＣＨシンボルの前記重みでＳＩＲを評価するステップと、
を備えることを特徴とする方法。
【請求項１１】
ＣＤＭＡ（code division multiple access）無線通信システムにおいて、ＣＰＩＣＨ（common pilot channel）におけるＳＩＲ（signal-to-interference ratio）を評価する際の位相ノイズを補償する装置であって、
受信信号から生成されるチップレートデータを、ＯＶＳＦ（orthogonal variable spreading factor）符号ツリーの拡散コードの親コードである拡散コードで逆拡散して、複合的な中間シンボルを生成する逆拡散器と、
前記中間シンボル結合して、ＣＰＩＣＨシンボルを生成するシンボル結合器と、
前記ＣＰＩＣＨシンボルでＳＩＲを評価するＳＩＲ評価器と、
を備えることを特徴とする装置。
【請求項１２】
前記中間シンボルの結合をＣＰＩＣＨシンボル境界に合わせるためのタイミング信号が前記シンボル結合器に提供されることを特徴とする請求項１１に記載の装置。
【請求項１３】
ＣＤＭＡ（code division multiple access）無線通信システムにおいて、ＣＰＩＣＨ（common pilot channel）におけるＳＩＲ（signal-to-interference ratio）の評価値における位相ノイズを補償する装置であって、
受信信号から生成されるチップレートデータをＣＰＩＣＨの拡散コードで逆拡散して、ＣＰＩＣＨシンボルを生成する逆拡散器と、
前記ＣＰＩＣＨシンボルの重みを算出する重み算出器と、
前記ＣＰＩＣＨシンボルの前記重みを使用して前記ＣＰＩＣＨにおけるＳＩＲを評価するＳＩＲ評価器と、
を備えることを特徴とする装置。
【請求項１４】
第１チャネルはショート拡散コードで拡散されるデータを含み、第２チャネルはロング拡散コードで拡散されるデータを含む、少なくとも二つのチャネルが同時に送信されるＣＤＭＡ（code division multiple access）無線通信システムにおいて、前記第２チャネルにおけるＳＩＲ（signal-to-interference ratio）を評価する際の位相ノイズを補償する方法であって、
前記第１チャネルに使用される前記ショート拡散コードを使用して前記第１チャネルにおけるＳＩＲを計算するステップと、
前記第２チャネルに使用されるロング拡散コードを使用して前記第２チャネルにおけるＳＩＲを計算するステップと、
前記第１チャネルにおけるＳＩＲの劣化と、前記第２チャネルにおけるＳＩＲの劣化との差に従って、前記第２チャネルにおけるＳＩＲを補償するステップと、
を備えることを特徴とする方法。
【請求項１５】
前記第１チャネルはＨＳ−ＰＤＳＣＨ（high speed physical downlink shared channel）であり、前記第２チャネルはＣＰＩＣＨ（common pilot channel）であることを特徴とする請求項１４に記載の方法。
【請求項１６】
前記第２チャネルにおける前記ＳＩＲは、ＬＵＴ（look-up table）を使用することによって調整されることを特徴とする請求項１４に記載の方法。
【請求項１７】
前記第２チャネルにおける前記ＳＩＲからＣＱＩ（channel quality indicator）を生成するステップを、さらに備えることを特徴とする請求項１４に記載の方法。
【請求項１８】
前記ＣＱＩは、前記第１チャネルにおける前記ＳＩＲと、前記第２チャネルにおける前記ＳＩＲとの差に従って調整されることを特徴とする請求項１７に記載の方法。
【請求項１９】
第１チャネルはショート拡散コードで拡散されるデータを含み、第２チャネルはロング拡散コードで拡散されるデータを含む、少なくとも二つのチャネルが同時に送信されるＣＤＭＡ（code division multiple access）無線通信システムにおいて、前記第２チャネルにおけるＳＩＲ（signal-to-interference ratio）を評価する際の位相ノイズを補償する装置であって、
前記第１チャネルに使用されるショート拡散コードを使用して第１チャネルにおけるＳＩＲを計算し、前記第２チャネルに使用されるロング拡散コードを使用して第２チャネルにおけるＳＩＲを計算するＳＩＲ評価器と、
前記第１チャネルにおけるＳＩＲの劣化と、前記第２チャネルにおけるＳＩＲの劣化との差に従って、前記第２チャネルにおけるＳＩＲを補償するマッピングユニットと、
を備えることを特徴とする装置。
【請求項２０】
前記第１チャネルはＨＳ−ＰＤＳＣＨ（high speed physical downlink shared channel）であり、前記第２チャネルはＣＰＩＣＨ（common pilot channel）であることを特徴とする請求項１９に記載の装置。
【請求項２１】
前記マッピングユニットはＬＵＴ（look-up table）を使用することを特徴とする請求項１９に記載の装置。
【請求項２２】
前記ＳＩＲ評価値をＣＱＩ（channel quality indicator）にマッピングするＣＱＩ生成器をさらに備えることを特徴とする請求項１９に記載の装置。
【請求項２３】
前記ＣＱＩは、前記第１チャネルにおける前記ＳＩＲと、前記第２チャネルにおける前記ＳＩＲとの間の違いに従って調整されることを特徴とする請求項２２に記載の装置。
【請求項２４】
第１チャネルはショート拡散コードで拡散されるデータを含み、第２チャネルはロング拡散コードで拡散されるデータを含む、少なくとも二つのチャネルが同時に送信されるＣＤＭＡ（code division multiple access）無線通信システムにおいて、前記ロング拡散コードで拡散されるデータの位相ノイズを補償するＩＣ（integrated circuit）であって、
受信信号のサンプリングによって生成されるチップレートデータを格納するバッファと、
前記チップレートデータを前記ショート拡散コードで逆拡散する第１の逆拡散器と、
前記ショート拡散コードでチップレートデータを逆拡散することによって取得されるシンボルから位相エラー評価値を生成するコンステレーション訂正ユニットと、
前記位相エラー評価値から位相訂正フェーザを生成するフェーザ生成器と、
前記バッファに格納される前記チップレートデータに前記位相訂正フェーザを適用する乗算器と、
前記ロング拡散コードで前記チップレートデータを逆拡散する第２の逆拡散器と、
を備えることを特徴とするＩＣ。
【請求項２５】
前記第１チャネルはＨＳ−ＰＤＳＣＨ（high speed physical downlink shared channel）であり、前記第２チャネルはＣＰＩＣＨ（common pilot channel）であることを特徴とする請求項２４に記載のＩＣ。
【請求項２６】
逆拡散されるＣＰＩＣＨシンボルからＳＩＲ（signal-to-interference ratio）を評価するＳＩＲ評価器を、さらに備えることを特徴とする請求項２５に記載のＩＣ。
【請求項２７】
前記ＣＰＩＣＨにおける前記ＳＩＲからＣＱＩ（channel quality indicator）を生成するＣＱＩマッピングユニットを、さらに備えることを特徴とする請求項２６に記載の装置。
【請求項２８】
ＣＤＭＡ（code division multiple access）無線通信システムにおいて、ＣＰＩＣＨ（common pilot channel）におけるＳＩＲ（signal-to-interference ratio）を評価する際の位相ノイズを補償するＩＣ（integrated circuit）であって、
受信信号から生成されるチップレートデータを、ＯＶＳＦ（orthogonal variable spreading factor）符号ツリーにおけるＣＰＩＣＨの拡散コードの親コードである拡散コードで逆拡散して、多数の中間シンボルを生成する逆拡散器と、
前記中間シンボルを結合して、ＣＰＩＣＨシンボルを生成するシンボル結合器と、
前記ＣＰＩＣＨシンボルでＳＩＲを評価するＳＩＲ評価器と、
を備えることを特徴とする装置。
【請求項２９】
前記中間シンボルの結合をＣＰＩＣＨシンボル境界に合わせるためのタイミング信号が前記シンボル結合器に提供されることを特徴とする請求項１１に記載のＩＣ。
【請求項３０】
ＣＤＭＡ（code division multiple access）無線通信システムにおいて、ＣＰＩＣＨ（common pilot channel）におけるＳＩＲ（signal-to-interference ratio）の評価値における位相ノイズを補償するＩＣ（integrated circuit）であって、
受信信号から生成されるチップレートデータをＣＰＩＣＨの拡散コードで逆拡散して、ＣＰＩＣＨシンボルを生成する逆拡散器と、
前記ＣＰＩＣＨシンボルの重みを算出する重み算出器と、
前記ＣＰＩＣＨシンボルの前記重みを使用して前記ＣＰＩＣＨにおけるＳＩＲを評価するＳＩＲ評価器と、
を備えることを特徴とするＩＣ。
【請求項３１】
第１チャネルはショート拡散コードで拡散されるデータを含み、第２チャネルはロング拡散コードで拡散されるデータを含む、少なくとも二つのチャネルが同時に送信されるＣＤＭＡ（code division multiple access）無線通信システムにおいて、前記第２チャネルにおけるＳＩＲ（signal-to-interference ratio）を評価する際の位相ノイズを補償するＩＣ（integrated circuit）であって、
前記第１チャネルに使用されるショート拡散コードを使用して第１チャネルにおけるＳＩＲを計算し、前記第２チャネルに使用されるロング拡散コードを使用して第２チャネルにおけるＳＩＲを計算するＳＩＲ評価器と、
前記第１チャネルにおけるＳＩＲの劣化と、前記第２チャネルにおけるＳＩＲの劣化との差に従って、前記第２チャネルにおけるＳＩＲを補償するマッピングユニットと、
を備えることを特徴とするＩＣ。
【請求項３２】
前記第１チャネルはＨＳ−ＰＤＳＣＨ（high speed physical downlink shared channel）であり、前記第２チャネルはＣＰＩＣＨ（common pilot channel）であることを特徴とする請求項３１に記載のＩＣ。
【請求項３３】
前記マッピングユニットは、ＬＵＴ（look-up table）を使用することを特徴とする請求項３１に記載のＩＣ。
【請求項３４】
前記ＳＩＲ評価値をＣＱＩ（channel quality indicator）にマッピングするＣＱＩ生成器をさらに備えることを特徴とする請求項３１に記載のＩＣ。
【請求項３５】
前記ＣＱＩは、前記第１チャネルにおける前記ＳＩＲと、前記第２チャネルにおける前記ＳＩＲとの差に従って調整されることを特徴とする請求項３４に記載のＩＣ。
【発明の詳細な説明】
【技術分野】
【０００１】
本発明は、ＣＤＭＡ（code division multiple access）無線通信システムに関する。より詳細には、本発明はロング拡散コードを有するシンボルの位相ノイズを補償する方法及びシステムに関する。
【背景技術】
【０００２】
異なる拡散コード長を採用するＣＤＭＡシステムにおいては、不完全性の本質が拡散コード長のスケールにおける位相ノイズなどの時間依存性である場合には、位相ノイズなどの受信機の不完全性は、ショート拡散コードを使用するよりもロング拡散コードを利用するときに、送信をより劣化させる可能性がある。例えば、ＵＭＴＳ（universal mobile telecommunication system）ＦＤＤ（frequency division duplex）システムにおいては、拡散コードが４から５１２までのチップに変化する場合がある。
【０００３】
【特許文献１】米国特許出願第１０／９８０６９２号明細書
【発明の開示】
【発明が解決しようとする課題】
【０００４】
３Ｇ（third generation）ＨＳＤＰＡ(high speed downlink packet access)システムにおいては、ＡＭＣ（adaptive coding and modulation）は、ＷＴＲＵ（wireless transmit/receive unit）によって評価されるＣＱＩ（channel quality indication）に基づいている。ＣＱＩは、１６のＳＦ（spreading factor）を使用するＨＳ−ＰＤＳＣＨ（high speed physical downlink shared channel）のチャネル品質を反映することが期待される。しかしながら、ＣＱＩは、２５６のＳＦを有するＣＰＩＣＨ（common pilot channel）において測定されるＳＩＲ（signal-to-interference）に基づいて生成される。理想的な無線環境においては、これは問題を提示しない。なぜならば、異なるＳＦに起因する処理利得は、容易にＣＱＩ生成の要素に含むことができるからである。しかしながら、位相ノイズは、異なる量に従って異なるＳＦの信号にて作成されるＳＩＲ測定に影響を与え得る。それゆえ、ＣＰＩＣＨに基づくＣＱＩ測定は、ＨＳ−ＰＤＳＣＨによって確かめられたチャネル品質を反映することができない。
【課題を解決するための手段】
【０００５】
本発明は、ロング拡散コードを有するシンボルの位相ノイズを補償する方法及び装置に関する。位相ノイズを補償するために、ショート拡散コードで逆拡散されたシンボルから位相エラー評価値を生成する。位相エラー評価値から生成される位相訂正フェーザがチップレートデータに適用され、それから、ロング拡散コードで位相訂正されたデータを逆拡散する。ＣＰＩＣＨにおけるＳＩＲは、ＯＶＳＦ（orthogonal variable spreading factor）符号ツリーにおけるＣＰＩＣＨの拡散コードの親コードである拡散コードでチップレートデータを逆拡散すること、及びシンボルを結合すること、によって算出することができる。あるいは、ＳＩＲを評価する際のＣＰＩＣＨシンボルの重み（magnitude）を使用してもよい。ショート拡散コードを使用するチャネルのＳＩＲと、ロング拡散コードを使用するチャネルのＳＩＲと、が測定される。ロング拡散コードを使用するチャネルのＳＩＲを、そのチャネルにおけるＳＩＲの劣化の差に従って補償することができる。
【発明を実施するための最良の形態】
【０００６】
本発明の特徴は、ＩＣ（integrated circuit）に組み込まれることができ、又は、多数の相互接続されるコンポーネントを有する回路にて構成されることができる。
【０００７】
本発明は、限定されるわけではないが、３ＧＰＰシステム（third generation partnership project）を含む任意の無線通信システムに適用することができる。本発明は、以下でＣＰＩＣＨ及びＨＳ−ＰＤＳＣＨに言及しながら説明される。しかしながら、ＣＰＩＣＨ及びＨＳ−ＰＤＳＣＨへの言及は本発明の例証のためであり、本発明は任意のＳＦを使用する他のいずれのチャネルに適用可能であることに留意されたい。
【０００８】
図１は、本発明におけるロング拡散コードで拡散されたデータに関連する位相ノイズを補償する受信機１００のブロック図である。受信機１００は、第１の逆拡散器１０２、コンステレーション訂正ユニット１０４、バッファ１０６、フェーザ生成器１０８、乗算器１１０、第２の逆拡散器１１２、ＳＩＲ評価器１１４、及びＣＱＩ生成器１１６を含む。第１チャネルはショート拡散コードで拡散されたデータを送信し、同時に、第２チャネルはロング拡散コードで拡散されたデータを送信する。送信されたデータは、受信され、処理されて、チップレートデータ１２２を生成する。チップレートデータ１２２は、バッファ１０６及び第１の逆拡散器１０２に送り込まれる。バッファ１０６は、一時的にチップレートデータ１２２を格納する。第１の逆拡散器１０２は、チップレートデータ１２２をショート拡散コード１２３で逆拡散し、シンボル１２４を生成する。第１の逆拡散器１０２は、１６のＳＦを使用するＨＳ−ＰＤＳＣＨ送信を逆拡散するＨＳ−ＰＤＳＣＨ逆拡散器であってもよい。
【０００９】
第１の逆拡散器１０２によって生成されたシンボル１２４は、コンステレーション訂正ユニット１０４に送り込まれる。コンステレーション訂正ユニット１０４は、シンボル１２４を位相訂正されたシンボル１２５へとマッピングする前に、コンステレーションにおける利得及び位相エラーを訂正する。コンステレーション訂正ユニット１０４及び利得と位相エラーを訂正するプロセスの詳細は、２００４年１１月３日に出願された「WIRELESS COMMUNICATION METHOD AND APPARATUS FOR PERFORMING POST-DETECTION CONSTELLATION CORRECTION」と題する特許文献１に記述されており、これは参照によって十分に説明されるように組み込まれる。
【００１０】
各シンボルの位相エラー評価値１２６は、コンステレーション訂正ユニット１０４から算出される。位相エラー評価値１２６を時間をかけて収集して、平滑化した位相エラー評価値を生成することが好ましく、これは位相エラー評価値をフィルタリングすることによって、又は、データへの多項式フィットを実行することによって生成することができる。位相エラー評価値１２６は、フェーザ生成器１０８に送り込まれる。フェーザ生成器は、チップレートデータ１２２における位相エラーを訂正するために、ユニット重みフェーザ１３０を生成する。ユニット重みフェーザ１３０は、乗算器１１０を介してバッファ１０６にてバッファされたチップレートデータ１３２と共に乗算され、位相訂正されたチップレートデータ１３４を生成する。
【００１１】
位相訂正されたチップレートデータ１３４は、第２の逆拡散器１１２に送られる。第２の逆拡散器１１２は、位相訂正されたチップレートデータ１３４をロング拡散コード１３５で逆拡散する。ロング拡散コード１３５は、拡散コードのいずれの長さであってもよい。例えば、第２の逆拡散器１１２は、位相訂正されたチップレートデータ１３４を、ＣＰＩＣＨ、ＤＣＨ（dedicated channel）、ＨＳ−ＳＣＣＨ（high speed-shared control channel）（又は他の任意のチャネル）の拡散コードで逆拡散し、ＣＰＩＣＨシンボル１３６とＤＣＨ及び／又はＨＳ−ＳＣＣＨシンボル１３７を出力する。
【００１２】
ＣＰＩＣＨシンボル１３６は、ＣＰＩＣＨにおけるＳＩＲ評価値１３８を算出するＳＩＲ評価器１１４に送り込まれる。ＣＰＩＣＨにおけるＳＩＲ評価値は、ＣＱＩ １４０を生成するＣＱＩ生成器１１６に送り込まれる。
【００１３】
位相訂正されたチップレートデータ１３４は、複合的な位相エラー訂正と共に反復的にショート拡散コードのために再逆拡散されることができる。追加のショート拡散コード逆拡散器、コンステレーション訂正ユニット及びフェーザ生成器を、これら追加の逆拡散器の出力が再びコンステレーション訂正、位相エラー評価値及び訂正にさらに使用することが可能なように、追加することができる。
【００１４】
図２は、本発明においてロング拡散コードで拡散されたデータの位相ノイズを補償する処理２００のフロー図である。受信信号をサンプリングすること及び逆スクランブルすることによって、チップレートデータが生成される（ステップ２０２）。チップレートデータは、一時的にバッファに格納される（ステップ２０４）。チップレートデータはショート拡散コードで逆拡散される（ステップ２０６）。ショート拡散コードでチップレートデータを逆拡散することによって取得されるシンボルから位相エラー評価値が生成される。（ステップ２１０）。チップレートデータがロング拡散コードで逆拡散される前に、位相訂正フェーザがバッファに格納されたチップレートデータに適用される（ステップ２１２）。
【００１５】
図３は、本発明の一実施形態において、ロングＳＦシンボルのＳＩＲ評価値における位相ノイズの補償をする装置３００のブロック図である。装置３００は、逆拡散器３０２、シンボル結合器３０４及びＳＩＲ評価器３０６を含む。ロング拡散コードで拡散されたシンボルにおける位相ノイズの影響を軽減するために、より短い拡散コードがそのシンボルを逆拡散するために使用され、逆拡散器３０２からの弱い信号（soft symbol）出力が結合されてロングＳＦシンボルを取得する。逆拡散器３０２は、ポスト・イコライザ・チップレートデータ３１２をショート拡散コードで逆拡散し、シンボル結合器３０４は、その詳細が以下で説明されることになるＣＰＩＣＨシンボル境界のタイミングに従って逆拡散器３０２から出力されるそのシンボル３１４を結合する。結合された弱いシンボル３１６は、ＳＩＲ評価器３０６に送られ、ＣＰＩＣＨ ＳＩＲ３１８を算出することができる。
【００１６】
例えば、３Ｇ ＦＤＤの場合に関して、ＣＱＩはＣＰＩＣＨ ＳＩＲ評価値に基づいて生成される。ＣＰＩＣＨ ＳＦは２５６であり、チップレートは、３．８４Ｍチップ／ｓである。６４のＳＦが逆拡散に使用される場合には、４つの連続的な弱いシンボルが結合されてＣＰＩＣＨシンボルを評価する。タイミング信号３２０は、結合されるべき弱いシンボル３１４がＣＰＩＣＨシンボル境界を合わせるために、シンボル結合器３０４に提供される。
【００１７】
上記の例（ＣＰＩＣＨはＳＦ＝２５６コードで拡散され、ＳＦ＝６４コードで逆拡散すること）に関して、ショート拡散コードで逆拡散すること及びシンボルを結合することは、以下にて説明される。
【００１８】
【数１】
2008533911.tif 000003
【００１９】
数１は、逆拡散器出力における弱い信号の列ベクトルを表現する。
【００２０】
【数２】
2008533911.tif 000004
【００２１】
数２は、ＯＶＳＦ符号ツリーにおける共通のＳＦ＝６４の親コードから派生されたＳＦ＝２５６で各４コードを送信されるシンボルの列ベクトルを表現する。共通のＳＦ＝６４の親コードは、ＣＰＩＣＨが属するＯＶＳＦツリーブランチに対応する。Ｈ4は、アダマール行列の４thの順序を表現する。
【００２２】
ノイズがない状態においては、逆拡散器３０２から出力される弱いシンボルは、次のように記述される。
【００２３】
【数３】
2008533911.tif 000005
【００２４】
送信されるシンボルは、逆拡散された弱いシンボルから次のように評価される。
【００２５】
【数４】
2008533911.tif 000006
【００２６】
周知のアダマール行列の特性を使用して、ＨN・ＨTN＝Ｎ・ＩNであり、方程式（２）は、次のように書き直すことができる。
【００２７】
【数５】
2008533911.tif 000007
【００２８】
ＣＰＩＣＨシンボルだけが影響があるアプリケーションに関して、マトリックス乗算を実行する必要はない。マトリックス乗算は、ベクトルドット積（vector dot-product）動作に取って代わることができる。
【００２９】
図４は、本発明の他の実施形態において、ロングＳＦシンボルのＳＩＲ評価値における位相ノイズを補償する装置４００のブロック図である。装置４００は、逆拡散器４０２、重み算出器４０４及びＳＩＲ評価器４０６を含む。ポスト・イコライザ・チップレートデータは、ロング拡散コードで逆拡散され、ＳＩＲ評価値は、複合シンボルの代わりにシンボルの重みを使用することによって算出される。ポスト・イコライザ・チップレートデータ４１２は、送信において使用される同じ拡散コード（すなわち、ロング拡散コード）を使用する逆拡散器４０２によって逆拡散される。シンボル４１４は、それから、シンボルの重みを算出する重み算出器４０４に送り込まれる。ＳＩＲ評価器４０６は、ＣＰＩＣＨ ＳＩＲ４１８を算出するための重み値４１６を使用する。
【００３０】
図５は、本発明のさらに他の実施形態において、ロング拡散コードを使用するチャネルでのＳＩＲ評価値における位相ノイズを補償する装置５００のブロック図である。装置５００は、ＳＩＲ評価器５０２、マッピングユニット５０４及びＣＱＩ生成器５０６を含む。ＳＩＲ評価器５０２は、ショート拡散コードを使用するチャネル及びロング拡散コードを使用するチャネルの両者におけるＳＩＲを評価する。ロング拡散コードを使用するチャネルにおいて測定されたＳＩＲは、それから、マッピングユニット５０４によって、補償されたＳＩＲにマッピングされる。例えば、ＣＰＩＣＨ（これはロング拡散コードを使用する）上における測定されたＳＩＲは、ＨＳ−ＰＤＳＣＨ（これは、ショート拡散コードを使用する）によって経験されたチャネル品質によって補償される。補償されたＳＩＲは、それからＣＱＩ生成器５０６によってＣＱＩにマッピングされる。
【００３１】
ＣＰＩＣＨ ＳＩＲマッピングは、位相ノイズ又は他の無線障害のあるときに、異なるＳＦのために予期された性能差に従って実行される。無線障害の異なるタイプは、分離され、シミュレートされて、異なるＳＦを有する異なる拡散コードの実行における差を数値化する。例えば、無線障害の所定の任意のセットに関して、シミュレーションがＳＩＲ値の幅のために実行され、理想値に関してＣＰＩＣＨ ＳＩＲ及びＨＳ−ＰＤＳＣＨ ＳＩＲの両者の劣化を測定する。ＣＰＩＣＨ ＳＩＲの劣化及びＨＳ−ＰＤＳＣＨ ＳＩＲの劣化の差は、それから、ＣＰＩＣＨ ＳＩＲ又はＣＱＩにバイアスをかけるために使用することができる。このようにして、ＣＱＩは、ＨＳ−ＰＤＳＣＨによって経験されるチャネル品質を正確に反映する。
【００３２】
ひとたび性能の差が数値化されれば、補償の骨組みは構築されることができる。３Ｇ ＦＤＤシステムのためのロングＳＦシンボル（例えば、ＣＰＩＣＨシンボル）、対（versus）、短いＳＦシンボル（例えば、ＨＳ−ＰＤＳＣＨシンボル）に与える異なる影響を、様々な無線障害がどのように有するかの例を、図６に示す。
【００３３】
マッピングユニット５０４によるマッピングは、方程式評価又はＬＵＴ（look-up table）として実行することができる。補償はＣＱＩへのマッピングに先立って実行することができ、あるいは、補償されていないＣＰＩＣＨ ＳＩＲによって生成されたＣＱＩに対して直接適用してもよい。
【００３４】
本発明の特徴及び要素は、特定のコンビネーションにおける好ましい実施形態として記述しているが、各特徴や各要素は、本発明の他の特徴又は要素の有無に関わらず、様々なコンビネーションにおいて、又は、好ましい実施形態の他の特徴又は要素を除いて、単独で使用することができる。
【図面の簡単な説明】
【００３５】
【図１】本発明におけるロング拡散コードで拡散されたデータの位相ノイズを補償する受信機のブロック図。
【図２】本発明におけるロング拡散コードで拡散されたデータの位相ノイズを補償する処理のフロー図。
【図３】本発明の一実施形態におけるロングＳＦシンボルのＳＩＲ評価値における位相ノイズを補償する装置のブロック図。
【図４】本発明の他の実施形態におけるロングＳＦシンボルのＳＩＲ評価値における位相ノイズを補償する装置のブロック図。
【図５】本発明のさらなる他の実施形態におけるロングＳＦシンボルのＳＩＲ評価値における位相ノイズを補償する装置のブロック図。
【図６】無線障害がある場合におけるＣＰＩＣＨ ＳＩＲとＨＳ−ＰＤＳＣＨ ＳＩＲの劣化を示す図。
【図１】
2008533911.tif 000008
【図２】
2008533911.tif 000009
【図３】
2008533911.tif 000010
【図４】
2008533911.tif 000011
【図５】
2008533911.tif 000012
【図６】
2008533911.tif 000013
【国際調査報告】
2008533911.tif 000014